(57)【要約】【課題】ドラムカートリッジとトナーカートリッジとに関するエラー情報のうち、ドラムカートリッジに関するエラーを優先して表示する。【解決手段】画像形成装置は、装置本体と、ドラムカートリッジと、トナーカートリッジと、ディスプレイと、制御部とを備える。ドラムカートリッジは、感光体ドラムとドラムメモリとを有し、装置本体に対して着脱可能である。トナーカートリッジは、現像ローラと、トナーメモリとを有し、ドラムカートリッジに対して着脱可能である。制御部は、ドラムカートリッジにエラーがあると判定し、かつ、トナーカートリッジにエラーがあると判定した場合、トナーカートリッジにエラーがあることよりも、ドラムカートリッジにエラーがあることを優先的にディスプレイに表示させる（Ｓ３０１〜Ｓ３１４）。【選択図】図７
2020160411.tif 000002
【特許請求の範囲】
【請求項１】
画像形成装置であって、
装置本体と、
感光体ドラムとドラムメモリとを有するドラムカートリッジであって、前記装置本体に対して着脱可能なドラムカートリッジと、
現像ローラと、トナーメモリとを有するトナーカートリッジであって、前記ドラムカートリッジに対して着脱可能なトナーカートリッジと、
ディスプレイと、
制御部と、を備え、
前記制御部は、
前記ドラムメモリと通信して前記ドラムカートリッジにエラーがあるか否かを判定可能であり、
前記トナーメモリと通信して前記トナーカートリッジにエラーがあるか否かを判定可能であり、
ドラムカートリッジにエラーがあると判定し、かつ、トナーカートリッジにエラーがあると判定した場合、前記トナーカートリッジにエラーがあることよりも、前記ドラムカートリッジにエラーがあることを優先的に前記ディスプレイに表示することを特徴とする画像形成装置。
【請求項２】
前記制御部は、前記トナーカートリッジが前記ドラムカートリッジに装着された場合に、前記ドラムカートリッジを介して前記トナーメモリと通信可能であることを特徴とする請求項１に記載の画像形成装置。
【請求項３】
前記ドラムカートリッジは、基板を有し、
前記制御部は、前記基板を介して前記トナーメモリと通信可能であることを特徴とする請求項２に記載の画像形成装置。
【請求項４】
前記基板は、前記ドラムメモリを有し、
前記制御部は、前記基板を介して前記ドラムメモリと通信可能であることを特徴とする請求項３に記載の画像形成装置。
【請求項５】
前記制御部は、前記ドラムメモリおよび前記トナーメモリとの両方に通信を試み、前記ドラムメモリと通信できず前記トナーメモリと通信可能な場合、前記トナーカートリッジにエラーがあることよりも、前記基板に異常があることを示すエラーを優先的に前記ディスプレイに表示させることを特徴とする請求項４に記載の画像形成装置。
【請求項６】
前記制御部は、前記ドラムメモリおよび前記トナーメモリと通信を試み、前記ドラムメモリおよび前記トナーメモリの両方と通信できない場合、前記トナーカートリッジが装着されていないことを示すエラーよりも、前記ドラムカートリッジが装着されていないことを示すエラーを優先的に前記ディスプレイに表示させることを特徴とする請求項１から請求項５のいずれか１項に記載の画像形成装置。
【請求項７】
前記制御部は、前記ドラムメモリと通信可能であった場合、前記ドラムメモリの認証を試み、前記ドラムメモリを認証できない場合、前記トナーカートリッジにエラーがあることよりも、前記ドラムカートリッジが認識できないことを示すエラーを優先的に前記ディスプレイに表示させることを特徴とする請求項６に記載の画像形成装置。
【請求項８】
本体メモリをさらに備え、
前記制御部は、前記ドラムメモリが認証可能であった場合、前記ドラムメモリに記憶されたデータを読み込み、前記ドラムカートリッジの種別が前記本体メモリに記憶された種別に適合するか否かを判定し、前記ドラムカートリッジの種別が前記本体メモリに記憶された種別に適合しないと判定した場合、前記トナーカートリッジにエラーがあることよりも、前記ドラムカートリッジの種別に関するエラーを優先的に前記ディスプレイに表示させることを特徴とする請求項７に記載の画像形成装置。
【発明の詳細な説明】
【技術分野】
【０００１】
本開示は、ドラムカートリッジとトナーカートリッジとを装着可能な画像形成装置に関する。
【背景技術】
【０００２】
従来、トナーカートリッジをドラムカートリッジに組み付けた上で、装置本体に装着する画像形成装置が知られている（特許文献１参照）。
【先行技術文献】
【特許文献】
【０００３】
【特許文献１】特開２００９−２６５４０１号公報
【発明の概要】
【発明が解決しようとする課題】
【０００４】
ドラムカートリッジとトナーカートリッジの装着に関するエラーは、ドラムカートリッジとトナーカートリッジの状態に応じて、いくつかの種類がある。しかしながら、特許文献１に記載の画像形成装置では、ドラムカートリッジとトナーカートリッジの装着に関するエラーのうち、必要なエラーを優先して表示できないという問題点があった。
【０００５】
そこで、本開示は、ドラムカートリッジとトナーカートリッジとに関するエラー情報のうち、ドラムカートリッジに関するエラーを優先して表示することを目的とする。
【課題を解決するための手段】
【０００６】
上述の課題を解決するため、本開示の画像形成装置は、装置本体と、ドラムカートリッジと、トナーカートリッジと、ディスプレイと、制御部とを備える。ドラムカートリッジは、感光体ドラムとドラムメモリとを有し、装置本体に対して着脱可能である。トナーカートリッジは、現像ローラと、トナーメモリとを有し、ドラムカートリッジに対して着脱可能である。
制御部は、ドラムメモリと通信してドラムカートリッジにエラーがあるか否かを判定可能である。制御部は、トナーメモリと通信してトナーカートリッジにエラーがあるか否かを判定可能である。制御部は、ドラムカートリッジにエラーがあると判定し、かつ、トナーカートリッジにエラーがあると判定した場合、トナーカートリッジにエラーがあることよりも、ドラムカートリッジにエラーがあることを優先的にディスプレイに表示する。
【０００７】
この構成によれば、ドラムカートリッジとトナーカートリッジとに関するエラーのうち必要なエラーを優先して表示することができる。
【０００８】
前記した構成において、制御部は、トナーカートリッジがドラムカートリッジに装着された場合に、ドラムカートリッジを介してトナーメモリと通信可能である構成としてもよい。
【０００９】
前記した構成において、ドラムカートリッジは基板を有し、制御部は基板を介してトナーメモリと通信可能である構成としてもよい。
【００１０】
前記した構成において、基板はドラムメモリを有し、制御部は基板を介してドラムメモリと通信可能である構成としてもよい。
【００１１】
前記した構成において、制御部は、ドラムメモリおよびトナーメモリとの両方に通信を試み、ドラムメモリと通信できずトナーメモリと通信可能な場合、トナーカートリッジにエラーがあることよりも、基板に異常があることを示すエラーを優先的にディスプレイに表示させる構成としてもよい。
【００１２】
これによれば、制御部は、ドラムカートリッジの基板に異常があることを優先的にユーザに知らせることができる。
【００１３】
前記した構成において、制御部は、ドラムメモリおよびトナーメモリと通信を試み、ドラムメモリおよびトナーメモリの両方と通信できない場合、トナーカートリッジが装着されていないことを示すエラーよりも、ドラムカートリッジが装着されていないことを示すエラーを優先的にディスプレイに表示させる構成としてもよい。
【００１４】
これによれば、制御部は、ユーザにドラムカートリッジが装着されていないことを示すエラーを知らせることができる。
【００１５】
前記した構成において、制御部は、ドラムメモリと通信可能であった場合、ドラムメモリの認証を試み、ドラムメモリを認証できない場合、トナーカートリッジにエラーがあることよりも、ドラムカートリッジが認識できないことを示すエラーを優先的にディスプレイに表示させる構成としてもよい。
【００１６】
これによれば、制御部は、ユーザにドラムカートリッジが認識できないことを示すエラーを知らせることができる。
【００１７】
前記した構成において、本体メモリをさらに備え、制御部は、ドラムメモリが認証可能であった場合、ドラムメモリに記憶されたデータを読み込み、ドラムカートリッジの種別が本体メモリに記憶された種別に適合するか否かを判定し、ドラムカートリッジの種別が本体メモリに記憶された種別に適合しないと判定した場合、トナーカートリッジにエラーがあることよりも、ドラムカートリッジの種別に関するエラーを優先的にディスプレイに表示させる構成としてもよい。
【００１８】
これによれば、制御部は、ユーザにドラムカートリッジの種別に関するエラーを知らせることができる。
【発明の効果】
【００１９】
本開示の画像形成装置によれば、ドラムカートリッジとトナーカートリッジとに関するエラー情報のうち、ドラムカートリッジに関するエラーを優先して表示することができる。
【図面の簡単な説明】
【００２０】
【図１】実施形態に係る画像形成装置の断面図である。
【図２】制御部、ドラムメモリ、トナーメモリの接続を説明する図である。
【図３】特定したエラーに対して表示するエラーを示す表である。
【図４】制御部が実行する処理の一例を示すフローチャートである。
【図５】ドラムメモリチェック処理を示すフローチャートである。
【図６】トナーメモリチェック処理を示すフローチャートである。
【図７】エラー報知処理を示すフローチャートである。
【図８】変形例に係る図２に対応する図である。
【発明を実施するための形態】
【００２１】
次に、本開示の実施形態について、適宜図面を参照しながら詳細に説明する。
図１に示すように、画像形成装置１はカラー用のレーザプリンタである。画像形成装置１は、本体筐体２と、フィーダ部３と、画像形成部４と、制御部１００と、本体メモリ１０１と、ディスプレイ２６とを備えている。フィーダ部３は、シートＳを本体筐体２内に供給する。画像形成部４は、シートＳに画像を形成する。
【００２２】
本体筐体２は、中空のケース状に形成されている。本体筐体２は、一対の側壁２１と、一対の側壁２１を繋ぐ前壁２２とを有している。前壁２２には、本体開口２２Ａが形成されるとともに、本体開口２２Ａを開閉するフロントカバー２３が揺動可能に設けられている。
【００２３】
フィーダ部３は、本体筐体２の下部に着脱可能に装着される供給トレイ３１と、供給トレイ３１内のシートＳを画像形成部４に向けて給紙する供給機構３２とを備えている。
【００２４】
画像形成部４は、スキャナユニット５と、定着装置７と、ドラムカートリッジ８と、転写ローラ８２とを備えている。
【００２５】
スキャナユニット５は、本体筐体２内の上部に設けられ、図示しないレーザ発光部、ポリゴンミラー、レンズおよび反射鏡などを備えている。このスキャナユニット５では、レーザビームを、後述する感光体ドラム８１の表面上に高速走査にて照射する。
【００２６】
制御部１００は、例えば、ＣＰＵ、ＲＡＭ、ＲＯＭおよび入出力回路を備えており、装着されたカートリッジの情報やＲＯＭに記憶されたプログラムやデータなどに基づいて演算処理を行うことによって、印刷制御を実行している。
【００２７】
ディスプレイ２６は、本体筐体２の外表面に位置している。ディスプレイ２６は、制御部１００の指令に基づいて、各種メッセージを表示する。
【００２８】
ドラムカートリッジ８は、フィーダ部３とスキャナユニット５との間に配置されている。ドラムカートリッジ８は、本体筐体２のフロントカバー２３で開閉される本体開口２２Ａを通して、本体筐体２に対して着脱可能である。
【００２９】
ドラムカートリッジ８は、トナーカートリッジ９を装着可能である。本実施形態では、ドラムカートリッジ８は、４つのトナーカートリッジ９Ｙ，９Ｍ，９Ｃ，９Ｋを装着可能である。トナーカートリッジ９は、イエロー用（Ｙ）、マゼンタ用（Ｍ）、シアン用（Ｃ）およびブラック用（Ｋ）の各色のトナーに対応したものが、シートＳの搬送方向の上流側から下流側に向けてこの順で並んでいる。以下の説明では、トナーカートリッジ９Ｙ，９Ｍ，９Ｃ，９Ｋのように、符号にＹ，Ｍ，Ｃ，Ｋを付して、各色を区別することとする。
【００３０】
ドラムカートリッジ８は、４つの感光体ドラム８１Ｙ，８１Ｍ，８１Ｃ，８１Ｋと、４つの帯電器８３Ｙ，８３Ｍ，８３Ｃ，８３Ｋと、基板８４とを有している。基板８４は、ドラムメモリ８５を有している。
【００３１】
各帯電器８３Ｙ，８３Ｍ，８３Ｃ，８３Ｋは、印加回路によって電圧が印加されることでコロナ放電を発生させ、各感光体ドラム８１Ｙ，８１Ｍ，８１Ｃ，８１Ｋの表面を帯電させる。
【００３２】
トナーカートリッジ９Ｙ，９Ｍ，９Ｃ，９Ｋは、トナー筐体９０Ｙ，９０Ｍ，９０Ｃ，９０Ｋと、現像ローラ９１Ｙ，９１Ｍ，９１Ｃ，９１Ｋと、トナーメモリ９２Ｙ，９２Ｍ，９２Ｃ，９２Ｋとを有している。
【００３３】
トナー筐体９０Ｙ，９０Ｍ，９０Ｃ，９０Ｋは、内部にトナーを収容する。現像ローラ９１Ｙ，９１Ｍ，９１Ｃ，９１Ｋは、感光体ドラム８１Ｙ，８１Ｍ，８１Ｃ，８１Ｋにトナーを供給する。
【００３４】
この画像形成装置１では、回転する感光体ドラム８１の表面が、帯電器８３により一様に帯電された後、スキャナユニット５からのレーザビームの高速走査により露光される。これにより、露光された部分の電位が下がって、感光体ドラム８１の表面に画像データに基づく静電潜像が形成される。
【００３５】
次いで、回転駆動される現像ローラ９１によってトナーカートリッジ９内のトナーが感光体ドラム８１の静電潜像に供給されて、感光体ドラム８１の表面上にトナー像が形成される。その後、感光体ドラム８１と転写ローラ８２の間でシートＳが搬送されることで、感光体ドラム８１の表面に担持されているトナー像がシートＳ上に転写される。
【００３６】
定着装置７は、加熱ローラ７１と、加熱ローラ７１と向かいあって位置し、加熱ローラ７１を押圧する加圧ローラ７２とを備えている。そして、定着装置７では、シートＳ上に転写されたトナーを、シートＳが加熱ローラ７１と加圧ローラ７２との間を通過する間に熱定着する。
【００３７】
定着装置７で熱定着されたシートＳは、定着装置７の下流側に配設される排紙ローラ２４に搬送され、この排紙ローラ２４から排紙トレイ２５上に送り出される。
【００３８】
トナーカートリッジ９Ｙ，９Ｍ，９Ｃ，９Ｋがドラムカートリッジ８に装着された場合には、基板８４とトナーメモリ９２Ｙ，９２Ｍ，９２Ｃ，９２Ｋとが電気的に接続される。また、ドラムカートリッジ８が本体筐体２に装着された場合には、制御部１００と基板８４とが電気的に接続される。
このため、図２に示すように、制御部１００は、ドラムカートリッジ８が本体筐体２に装着された場合に、基板８４を介してドラムメモリ８５と通信可能である。そして、制御部１００は、トナーカートリッジ９Ｙ，９Ｍ，９Ｃ，９Ｋがドラムカートリッジ８に装着され、ドラムカートリッジ８が本体筐体２に装着された場合に、ドラムカートリッジ８を介してトナーメモリ９２Ｙ，９２Ｍ，９２Ｃ，９２Ｋと通信可能である。
【００３９】
本体メモリ１０１は、画像形成装置１の種別のデータが記憶されている。
【００４０】
ドラムメモリ８５は、例えば、ＩＣチップなどの情報を記憶する媒体であり、ＩＣチップに限られない。ドラムメモリ８５の記憶素子には、ドラムカートリッジ８の種別のデータが記憶されている。
【００４１】
トナーメモリ９２Ｙ，９２Ｍ，９２Ｃ，９２Ｋは、例えば、ＩＣチップなどの情報を記憶する媒体であり、ＩＣチップに限られない。トナーメモリ９２Ｙ，９２Ｍ，９２Ｃ，９２Ｋの記憶素子には、トナーカートリッジ９の種別のデータが記憶されている。
【００４２】
制御部１００は、ドラムメモリ８５と通信してドラムカートリッジ８にエラーがあるか否かを判定可能である。図３に示すように、本実施形態では、制御部１００は、ドラムカートリッジ８に通信エラー、認証エラー、データエラー、の３つのエラーがあるか否かを判定可能である。
【００４３】
制御部１００は、ドラムメモリ８５と通信を試み、ドラムメモリ８５と通信できない場合、ドラムメモリ８５と通信できないことを示す通信エラーと判定する。通信エラーは、例えば、ドラムカートリッジ８が正しく装着されていない場合に起こるエラーである。制御部１００は、ドラムカートリッジ８が通信エラーと判定した場合には、画像形成部４による画像形成を許可しない。
【００４４】
制御部１００は、ドラムメモリ８５と認証を試み、ドラムメモリ８５を認証できない場合、ドラムカートリッジ８が認証できないことを示す認証エラーと判定する。認証エラーは、装着されたドラムカートリッジ８が画像形成できるものとして認識できない場合（例えば、対応機種が違う場合）などに起こるエラーである。制御部１００は、ドラムカートリッジ８が認証エラーと判定した場合には、画像形成部４による画像形成を許可しない。
【００４５】
制御部１００は、ドラムメモリ８５に記憶されたデータを読み込み、読み込んだデータに基づいて特定されるドラムカートリッジ８の種別が本体メモリ１０１に記憶された種別に適合しないと判定した場合、ドラムカートリッジ８の種別に適合しないことを示すデータエラーと判定する。制御部１００は、ドラムカートリッジ８がデータエラーと判定した場合には、画像形成部４による画像形成を許可しない。
【００４６】
ドラムカートリッジ８の種別が本体メモリ１０１に記憶された種別に適合しない場合とは、例えば、ドラムメモリ８５から取得したドラムカートリッジ８の仕向先のデータと、本体メモリ１０１に記憶された画像形成装置１の仕向先のデータとが一致しない場合である。仕向先とは、製品の納入先であり、地域や業種ごとなどによって区分けされている場合が多い。
【００４７】
ドラムカートリッジ８の種別が本体メモリ１０１に記憶された種別に適合しない場合とは、例えば、ドラムメモリ８５から取得した、ドラムカートリッジ８が通常版か特殊版かを示すデータと、本体メモリ１０１に記憶された、画像形成装置１が通常版のドラムカートリッジ８に対応しているか特殊版のドラムカートリッジ８に対応しているかを示すデータとが一致しない場合である。
【００４８】
制御部１００は、トナーメモリ９２と通信してトナーカートリッジ９にエラーがあるか否かを判定可能である。なお、制御部１００は、４つのトナーメモリ９２Ｙ，９２Ｍ，９２Ｃ，９２Ｋのそれぞれと通信する。制御部１００は、４つのトナーカートリッジ９Ｙ，９Ｍ，９Ｃ，９Ｋに対してそれぞれ、通信エラー、認証エラー、データエラー、の３つのエラーがあるか否かを判定可能である。
【００４９】
制御部１００は、トナーメモリ９２と通信を試み、トナーメモリ９２と通信できない場合、トナーメモリ９２と通信できないことを示す通信エラーと判定する。通信エラーは、例えば、トナーカートリッジ９が正しく装着されていない場合に起こるエラーである。制御部１００は、トナーカートリッジ９が通信エラーと判定した場合には、画像形成部４による画像形成を許可しない。
【００５０】
制御部１００は、トナーメモリ９２と認証を試み、トナーメモリ９２を認証できない場合、トナーカートリッジ９が認証できないことを示す認証エラーと判定する。認証エラーは、装着されたトナーカートリッジ９が画像形成できるものとして認識できない場合（例えば、対応機種が違う場合）などに起こるエラーである。制御部１００は、トナーカートリッジ９が認証エラーと判定した場合には、画像形成部４による画像形成を許可しない。
【００５１】
制御部１００は、トナーメモリ９２に記憶されたデータを読み込み、読み込んだデータに基づいて特定されるトナーカートリッジ９の種別が本体メモリ１０１に記憶された種別に適合しないと判定した場合、トナーカートリッジ９の種別に適合しないことを示すデータエラーと判定する。制御部１００は、ドラムカートリッジ８がデータエラーと判定した場合には、画像形成部４による画像形成を許可しない。
【００５２】
トナーカートリッジ９の種別が本体メモリ１０１に記憶された種別に適合しない場合とは、例えば、トナーメモリ９２から取得したトナーカートリッジ９の仕向先のデータと、制御部１００に記憶された画像形成装置１の仕向先のデータとが一致しない場合である。
【００５３】
トナーカートリッジ９の種別が本体メモリ１０１に記憶された種別に適合しない場合とは、例えば、トナーメモリ９２から取得した、トナーカートリッジ９が通常版かと特別版かを示すデータと、本体メモリ１０１に記憶された、画像形成装置１が通常版トナーカートリッジに対応しているか特別版トナーカートリッジに対応しているかを示すデータとが一致しない場合である。
【００５４】
制御部１００は、ドラムカートリッジ８にエラーがあると判定し、かつ、トナーカートリッジ９にエラーがあると判定した場合、トナーカートリッジ９にエラーがあることよりも、ドラムカートリッジ８にエラーがあることを優先的にディスプレイ２６に表示する。
ディスプレイ２６に優先的に表示させる方法としては、優先順位の高い表示を上段に表示し、優先順位の低い表示を下段に表示すればよい。また、優先順位の低い表示をかっこ書きにしたり、小さく表示してもよい。さらに、優先順位の低い表示は、ディスプレイ２６に表示しなくてもよい。本実施形態では、優先順位の高い表示をディスプレイ２６に表示し、優先順位の低い表示（図３においてかっこ書きで示す表示）をユーザがディスプレイ２６をスクロールした場合に見えるように表示している。
【００５５】
制御部１００は、ドラムメモリ８５およびトナーメモリ９２の両方と通信できない場合、トナーカートリッジ９が装着されていないことを示すエラーよりも、ドラムカートリッジ８が装着されていないことを示すエラー「Ｎｏ  Ｄｒｕｍ」を優先的にディスプレイ２６に表示する。そして、ユーザがディスプレイ２６をスクロールすると、トナーカートリッジ９が装着されていないことを示すエラー「Ｎｏ  Ｔｏｎｅｒ」が表示される。
【００５６】
制御部１００は、ドラムメモリ８５およびトナーメモリ９２との両方に通信を試み、ドラムメモリ８５と通信できずトナーメモリ９２と通信可能な場合、トナーカートリッジ９にエラーがあることよりも、基板８４に異常があることを示すエラー「ドラム基板異常」を優先的にディスプレイ２６に表示させる。
【００５７】
制御部１００は、ドラムメモリ８５と通信可能であった場合、ドラムメモリ８５の認証を試み、ドラムメモリ８５を認証できない場合、トナーカートリッジ９にエラーがあることよりも、ドラムカートリッジ８が認識できないことを示すエラー「Ｃａｎｎｏｔ  Ｄｅｔｅｃｔ  Ｄｒｕｍ」を優先的にディスプレイに表示させる。
【００５８】
制御部１００は、ドラムメモリ８５が認証可能であった場合、ドラムメモリ８５に記憶されたデータを読み込み、ドラムカートリッジ８の種別が本体メモリ１０１に記憶された種別に適合するか否かを判定し、ドラムカートリッジ８の種別が本体メモリ１０１に記憶された種別に適合しないと判定した場合、トナーカートリッジ９にエラーがあることよりも、ドラムカートリッジ８の種別に関するエラー「Ｄｒｕｍ  Ｅｒｒｏｒ」を優先的にディスプレイに表示させる。
【００５９】
制御部１００は、ドラムカートリッジ８にエラーがない条件下で、トナーメモリ９２と通信を試み、トナーメモリ９２と通信できない場合、トナーカートリッジ９が装着されていないことを示すエラー「Ｎｏ  Ｔｏｎｅｒ」をディスプレイ２６に表示させる。
【００６０】
制御部１００は、ドラムカートリッジ８にエラーがない条件下で、トナーメモリ９２と通信可能であった場合、トナーメモリ９２の認証を試み、トナーメモリ９２を認証できない場合、トナーカートリッジ９が認証できないことを示すエラー「Ｃａｎｎｏｔ  Ｄｅｔｅｃｔ  Ｔｏｎｅｒ」をディスプレイ２６に表示させる。
【００６１】
制御部１００は、ドラムカートリッジ８にエラーがない条件下で、トナーメモリ９２が認証可能であった場合、トナーメモリ９２に記憶されたデータを読み込み、トナーカートリッジ９の種別が本体メモリ１０１に記憶された種別に適合するか否かを判定し、トナーカートリッジ９の種別が制御部１００に記憶された種別に適合しないと判定した場合、トナーカートリッジ９の種別に関するエラー「Ｔｏｎｅｒ  Ｅｒｒｏｒ」をディスプレイ２６に表示させる。
【００６２】
制御部１００は、ドラムカートリッジ８およびトナーカートリッジ９にエラーがあるか否かを判定した後で、エラーではないが、警告が必要な情報を取得した場合には、ユーザに知らせる。なお、制御部１００は、警告を表示する場合には、画像形成部４の画像形成を許可したままでよい。
【００６３】
制御部１００は、ドラムメモリ８５から取得したドラムカートリッジの製造者データと、本体メモリ１０１に記憶された画像形成装置の製造者データが一致しているか否かを判定する。
制御部１００は、ドラムカートリッジ８の製造者データと、画像形成装置１の製造者データが一致していないと判定した場合、ドラムカートリッジ８が非純正品であることを示す警告をディスプレイ２６に表示させる。
【００６４】
制御部１００は、トナーメモリ９２から取得したトナーカートリッジ９の製造者データと、本体メモリ１０１に記憶された画像形成装置１の製造者データが一致しているか否かを判定する。
制御部１００は、トナーカートリッジ９の製造者データと、画像形成装置１の製造者データが一致していないと判定した場合、トナーカートリッジ９が非純正品であることを示す警告をディスプレイ２６に表示させる。
【００６５】
制御部１００は、トナーメモリ９２と通信して、トナーメモリ９２から取得したトナーカートリッジ９の色データ（ＹＭＣＫ）が、トナーカートリッジ９が装着された場所の色（ＹＭＣＫ）に対応しているか否かを判定する。
制御部１００は、トナーカートリッジ９の色データが、装着された場所の色に対応していないと判定した場合、トナーカートリッジ９が色違いであることを示す警告をディスプレイ２６に表示させる。
【００６６】
次に、制御部１００が実行する処理の一例について、図４〜７のフローチャートで説明する。
【００６７】
図４に示すように、制御部１００は、電源ＯＮされた、またはフロントカバー２３が閉じられたと判定した場合（Ｓ１，Ｙｅｓ）には、ドラムメモリチェック処理（Ｓ１００）、トナーメモリチェック処理（Ｓ２００）、エラー表示処理（Ｓ３００）を行う。制御部１００は、ドラムメモリ８５、トナーメモリ９２が複数ある場合には、全色に対してメモリチェック処理を行う。
制御部１００は、電源ＯＮされた、またはフロントカバー２３が閉じられたと判定しない場合（Ｓ１，Ｎｏ）には、各処理を実行しない。
【００６８】
次に、ドラムメモリチェック処理を図５のフローチャートで説明する。
図５に示すように、制御部１００は、ドラムメモリ８５と通信できたかを判定する（Ｓ１０１）。制御部１００は、ステップＳ１０１において、ドラムメモリ８５と通信できないと判定した場合（Ｓ１０１，Ｎｏ）、ドラムメモリ通信エラーと判定する（Ｓ１０２）。
【００６９】
制御部１００は、ステップＳ１０１において、ドラムメモリ８５と通信できた判定した場合（Ｓ１０１，Ｙｅｓ）、ドラムメモリ８５と認証を試み、ドラムメモリ８５を認証できたかを判定する（Ｓ１０３）。制御部１００は、ステップＳ１０３において、ドラムメモリ８５を認証できないと判定した場合（Ｓ１０３，Ｎｏ）、ドラムメモリ認証エラーと判定する（Ｓ１０４）。
【００７０】
制御部１００は、ステップＳ１０３において、ドラムメモリ８５を認証できたと判定した場合（Ｓ１０３，Ｙｅｓ）ドラムメモリデータを読み込み（Ｓ１０５）、ドラムメモリデータを読み込みできたかを判定する（Ｓ１０６）。制御部１００は、ステップＳ１０６において、ドラムメモリデータを読み込みできない場合（Ｓ１０６，Ｎｏ）、ドラムメモリ認証エラーと判定する（Ｓ１０４）。
【００７１】
制御部１００は、Ｓ１０６において、ドラムメモリデータを読み込みできた場合（Ｓ１０６，Ｙｅｓ）、ドラムカートリッジ８の種別は合っているかを判定する（Ｓ１０７）。制御部１００は、ステップＳ１０７において、ドラムカートリッジ８の種別は合っていないと判定した場合（Ｓ１０７，Ｎｏ）、ドラムメモリデータエラーと判定する（Ｓ１０８）。
【００７２】
制御部１００は、ステップＳ１０７において、ドラムカートリッジ８の種別は合っていると判定した場合（Ｓ１０７，Ｙｅｓ）、ドラムメモリ８５のデータは正常値の範囲かを判定する（Ｓ１０９）。正常値の範囲は、予め本体メモリ１０１に記憶されている。制御部１００は、ステップＳ１０９において、ドラムメモリ８５のデータは正常値の範囲でないと判定した場合（Ｓ１０９，Ｎｏ）、ドラムメモリデータエラーと判定する（Ｓ１０８）。
【００７３】
制御部１００は、ステップＳ１０９において、ドラムメモリ８５のデータは正常値の範囲であると判定した場合（Ｓ１０９，Ｙｅｓ）、ドラムカートリッジ８は純正品かを判定する（Ｓ１１０）。制御部１００は、ステップＳ１１０において、ドラムカートリッジ８は純正品でないと判定した場合（Ｓ１１０，Ｎｏ）、ディスプレイ２６にドラムカートリッジ非純正品警告を表示する（Ｓ１１１）。
【００７４】
制御部１００は、ステップＳ１１０において、ドラムカートリッジ８は純正品であると判定した場合（Ｓ１１０，Ｙｅｓ）、ドラムメモリチェック処理を終了する。
【００７５】
次に、トナーメモリチェック処理を図６のフローチャートで説明する。
図６に示すように、制御部１００は、トナーメモリ９２と通信できたかを判定する（Ｓ２０１）。制御部１００は、ステップＳ２０１において、トナーメモリ９２と通信できないと判定した場合（Ｓ２０１，Ｎｏ）、トナーメモリ通信エラーと判定する（Ｓ２０２）。
【００７６】
制御部１００は、ステップＳ２０１において、トナーメモリ９２と通信できたと判定した場合（Ｓ２０１，Ｙｅｓ）、トナーメモリ９２と認証を試み、トナーメモリ９２を認証できたかを判定する（Ｓ２０３）。制御部１００は、ステップＳ２０３において、トナーメモリ９２を認証できないと判定した場合（Ｓ２０３，Ｎｏ）、トナーメモリ認証エラーと判定する（Ｓ２０４）。
【００７７】
制御部１００は、ステップＳ２０３において、トナーメモリ９２を認証できたと判定した場合（Ｓ２０３，Ｙｅｓ）トナーメモリデータを読み込み（Ｓ２０５）、トナーメモリデータを読み込みできたかを判定する（Ｓ２０６）。制御部１００は、ステップＳ２０６において、トナーメモリデータを読み込みできない場合（Ｓ２０６，Ｎｏ）、トナーメモリ認証エラーと判定する（Ｓ２０４）。
【００７８】
制御部１００は、Ｓ２０６において、トナーメモリデータを読み込みできた場合（Ｓ２０６，Ｙｅｓ）、トナーカートリッジ９の種別は合っているかを判定する（Ｓ２０７）。制御部１００は、ステップＳ２０７において、トナーカートリッジ９の種別は合っていないと判定した場合（Ｓ２０７，Ｎｏ）、トナーメモリデータエラーと判定する（Ｓ２０８）。
【００７９】
制御部１００は、ステップＳ２０７において、トナーカートリッジ９の種別は合っていると判定した場合（Ｓ２０７，Ｙｅｓ）、トナーメモリ９２のデータは正常値の範囲かを判定する（Ｓ２０９）。制御部１００は、ステップＳ２０９において、トナーメモリ９２のデータは正常値の範囲でないと判定した場合（Ｓ２０９，Ｎｏ）、トナーメモリデータエラーと判定する（Ｓ２０８）。
【００８０】
制御部１００は、ステップＳ２０９において、トナーメモリ９２のデータは正常値の範囲であると判定した場合（Ｓ２０９，Ｙｅｓ）、トナーカートリッジ９は純正品かを判定する（Ｓ２１０）。制御部１００は、ステップＳ２１０において、トナーカートリッジ９は純正品でないと判定した場合（Ｓ２１０，Ｎｏ）、ディスプレイ２６にトナーカートリッジ非純正品警告を表示する（Ｓ２１１）。
【００８１】
制御部１００は、ステップＳ２１０において、トナーカートリッジ９は純正品であると判定した場合（Ｓ２１０，Ｙｅｓ）、トナーカートリッジ９は純正品でないと判定した場合（Ｓ２１０，Ｎｏ）、どちらの場合にもトナーカートリッジ９の色が合っているかを判定する（Ｓ２１２）。制御部１００は、ステップＳ２１２において、トナーカートリッジ９の色が合っていないと判定した場合（Ｓ２１２，Ｎｏ）、ディスプレイ２６にトナーカートリッジ色違い警告を表示する（Ｓ２１３）。
【００８２】
制御部１００は、ステップＳ２１２において、トナーカートリッジ９の色が合っていると判定した場合（Ｓ２１２，Ｙｅｓ）、トナーメモリチェック処理を終了する。
【００８３】
次に、エラー表示処理を図７のフローチャートで説明する。
図７に示すように、制御部１００は、ドラムメモリ通信エラーであるかを判定する（Ｓ３０１）。
【００８４】
制御部１００は、ステップＳ３０１において、ドラムメモリ通信エラーであると判定すると（Ｓ３０１，Ｙｅｓ）、トナーメモリ通信エラーであるかを判定する（Ｓ３０２）。
【００８５】
制御部１００は、ステップＳ３０２において、トナーメモリ通信エラーであると判定した場合（Ｓ３０２，Ｙｅｓ）、ディスプレイ２６に「Ｎｏ  Ｄｒｕｍ」と表示する（Ｓ３０３）。制御部１００は、ステップＳ３０２において、トナーメモリ通信エラーでないと判定した場合（Ｓ３０２，Ｎｏ）、ディスプレイ２６に「ドラム基板異常」と表示する（Ｓ３０４）。
【００８６】
一方、制御部１００は、ステップＳ３０１において、ドラムメモリ通信エラーでないと判定すると（Ｓ３０１，Ｎｏ）、ドラムメモリ認証エラーであるかを判定する（Ｓ３０５）。制御部１００は、ステップＳ３０５において、ドラムメモリ認証エラーであると判定した場合（Ｓ３０５，Ｙｅｓ）、ディスプレイ２６に「Ｃａｎｎｏｔ  Ｄｅｔｅｃｔ  Ｄｒｕｍ」と表示する（Ｓ３０６）。
【００８７】
制御部１００は、ステップＳ３０５において、ドラムメモリ認証エラーでないと判定した場合（Ｓ３０５，Ｎｏ）、ドラムメモリデータエラーであるかを判定する（Ｓ３０７）。制御部１００は、ステップＳ３０７において、ドラムメモリデータエラーであると判定した場合（Ｓ３０７，Ｙｅｓ）、ディスプレイ２６に「Ｄｒｕｍ  Ｅｒｒｏｒ」と表示する（Ｓ３０８）。
【００８８】
制御部１００は、ステップＳ３０７において、ドラムメモリデータエラーでないと判定した場合（Ｓ３０７，Ｎｏ）、トナーメモリ通信エラーであるかを判定する（Ｓ３０９）。制御部１００は、ステップＳ３０９において、トナーメモリ通信エラーであると判定した場合（Ｓ３０９，Ｙｅｓ）、ディスプレイ２６に「Ｎｏ  Ｔｏｎｅｒ」と表示する（Ｓ３１０）。
【００８９】
制御部１００は、ステップＳ３０９において、トナーメモリ通信エラーでないと判定した場合（Ｓ３０９，Ｎｏ）、トナーメモリ認証エラーであるかを判定する（Ｓ３１１）。制御部１００は、ステップＳ３１１において、トナーメモリ認証エラーであると判定した場合（Ｓ３１１，Ｙｅｓ）、ディスプレイ２６に「Ｃａｎｎｏｔ  Ｄｅｔｅｃｔ  Ｔｏｎｅｒ」と表示する（Ｓ３１２）。
【００９０】
制御部１００は、ステップＳ３１１において、トナーメモリ認証エラーでないと判定した場合（Ｓ３１１，Ｎｏ）、トナーメモリデータエラーであるかを判定する（Ｓ３１３）。制御部１００は、ステップＳ３１３において、トナーメモリデータエラーであると判定した場合（Ｓ３１３，Ｙｅｓ）、ディスプレイ２６に「Ｔｏｎｅｒ  Ｅｒｒｏｒ」と表示する（Ｓ３１４）。
【００９１】
制御部１００は、いずれのエラーも判定しなかった場合には、エラーを表示しない。
【００９２】
以上に説明したように、本実施形態の画像形成装置１によれば、次のような効果を奏することができる。
【００９３】
従来の画像形成装置では、ドラムカートリッジとトナーカートリッジの装着に関するエラーを検知した場合には、表示する優先度が考慮されていなかった。このため、仮に、トナーカートリッジに関するエラーが表示されたことにより、トナーカートリッジを交換し、その後、ドラムカートリッジに関するエラーが表示された場合には、ドラムカートリッジから再度トナーカートリッジを外さなけらばならないことがあった。
しかし、画像形成装置１の制御部１００によれば、ドラムカートリッジ８にエラーがあると判定し、かつ、トナーカートリッジ９にエラーがあると判定した場合、トナーカートリッジ９にエラーがあることよりも、ドラムカートリッジ８にエラーがあることを優先的にディスプレイ２６に表示する。このため、ドラムカートリッジ８とトナーカートリッジ９とに関するエラーのうちドラムカートリッジに関するエラーを優先して表示することができる。これにより、ユーザは表示されたエラーに対して適切な処理をすることができる。
【００９４】
また、制御部１００は基板８４を介してドラムメモリ８５と通信可能であるとともに、基板８４を介してトナーメモリ９２と通信可能である。このため、制御部１００が基板８４と通信すれば、ドラムメモリ８５とトナーメモリ９２の情報を読み取ることができる。この結果、画像形成装置１の部品点数を少なくできる。
【００９５】
また、制御部１００は、ドラムメモリ８５およびトナーメモリ９２との両方に通信を試み、ドラムメモリ８５と通信できずトナーメモリ９２と通信可能な場合、トナーカートリッジ９にエラーがあることよりも、基板８４に異常があることを示すエラーを優先的にディスプレイ２６に表示させる。このため、制御部１００は、ドラムカートリッジ８の基板８４に異常があることを優先的にユーザに知らせることができる。
【００９６】
また、制御部１００は、ドラムメモリ８５およびトナーメモリ９２と通信を試み、ドラムメモリ８５およびトナーメモリ９２の両方と通信できない場合、トナーカートリッジ９が装着されていないことを示すエラーよりも、ドラムカートリッジ８が装着されていないことを示すエラーを優先的にディスプレイ２６に表示させる。このため、制御部１００は、ユーザにドラムカートリッジ８が装着されていないことを示すエラーを優先的に知らせることができる。
【００９７】
また、制御部１００は、ドラムメモリ８５と通信可能であった場合、ドラムメモリ８５の認証を試み、ドラムメモリ８５を認証できない場合、トナーカートリッジ９にエラーがあることよりも、ドラムカートリッジ８が認識できないことを示すエラーを優先的にディスプレイ２６に表示させる。このため、制御部１００は、ユーザにドラムカートリッジ８が認識できないことを示すエラーを優先的に知らせることができる。
【００９８】
また、制御部１００は、ドラムメモリ８５が認証可能であった場合、ドラムメモリ８５に記憶されたデータを読み込み、ドラムカートリッジ８の種別が本体メモリ１０１に記憶された種別に適合するか否かを判定し、ドラムカートリッジ８の種別が本体メモリ１０１に記憶された種別に適合しないと判定した場合、トナーカートリッジ９にエラーがあることよりも、ドラムカートリッジ８の種別に関するエラーを優先的にディスプレイ２６に表示させる。このため、制御部１００は、ユーザにドラムカートリッジ８の種別に関するエラーを優先的に知らせることができる。
【００９９】
なお、本開示は前記実施形態に限定されることなく、以下に例示するように様々な形態で利用できる。
【０１００】
上述した実施形態においては、制御部１００はドラムカートリッジ８の基板８４を介してトナーメモリ９２と通信可能であった（図２参照）。しかし、上述した実施形態に限られず、制御部１００は、基板８４を介さずにトナーメモリ９２と通信してもよい。
例えば、図９に示すように、制御部１００は、各色に対応したドラムメモリ８５を介して、各トナーメモリ９２と通信してもよい。
【０１０１】
上述した実施形態においては、画像形成装置として、カラー用のレーザプリンタを例示したが、画像形成装置は、モノクロ用のレーザプリンタであってもよく、コピー機や複合機であってもよい。
【０１０２】
上述した実施形態においては、エラーメッセージをディスプレイ２６に表示していたが、エラーメッセージを他の場所（例えば画像形成装置に接続されたパソコンなど）に表示してもよいし、音声など他の方法でユーザーに報知してもよい。
【０１０３】
上述した実施形態および変形例で説明した各要素を、任意に組み合わせて実施することもできる。
【符号の説明】
【０１０４】
１      画像形成装置
２      本体筐体
４      画像形成部
８      ドラムカートリッジ
９      トナーカートリッジ
２６    ディスプレイ
８１    感光体ドラム
８４    基板
８５    ドラムメモリ
９１    現像ローラ
９２    トナーメモリ
１００  制御部
１０１  本体メモリ
【図１】
2020160411.tif 000003
【図２】
2020160411.tif 000004
【図３】
2020160411.tif 000005
【図４】
2020160411.tif 000006
【図５】
2020160411.tif 000007
【図６】
2020160411.tif 000008
【図７】
2020160411.tif 000009
【図８】
2020160411.tif 000010